(57)【要約】【課題】  簡素な設備で製造することができ、シート材料としての十分な強度を有しつつも、形状の安定した孔部を簡単かつ確実に成形することができる有孔プラスチックシートおよびその製造方法を提供すること。【解決手段】  押出機Ｅにより連続的に押出成形してシート体１を製造するにあたり、前記押出機Ｅのダイ２のリップ形状として、複数の細幅部21・21…と溝部22・22…とを所定間隔で交互かつ一連に形成する一方、前記ダイ２から軟化状態の樹脂材料Ｍを連続的に押し出すことによって薄膜部11と突条部12とを備えたシート体１を形成するとき、前記細幅部21における押出方向の前方を間欠的に遮断することにより、各薄膜部11に複数の孔部11ａ・11ａ…を成形せしめるという技術的手段を採用した。【選択図】  図１
2008105200.tif 000002
【特許請求の範囲】
【請求項１】
押出機Ｅにより連続的に押出成形してシート体１を製造するにあたり、
前記押出機Ｅのダイ２のリップ形状として、複数の細幅部21・21…と溝部22・22…とを所定間隔で交互かつ一連に形成する一方、
前記ダイ２から軟化状態の樹脂材料Ｍを連続的に押し出すことによって薄膜部11と突条部12とを備えたシート体１を形成するとき、前記細幅部21における押出方向の前方を間欠的に遮断することにより、各薄膜部11に複数の孔部11ａ・11ａ…を成形せしめることを特徴とする有孔プラスチックシートの製造方法。
【請求項２】
押出機Ｅのダイ２のリップの側傍に沿って、当該ダイ２の細幅部21・21…に対応する所要間隔の突起31ａ・31ａ…を並設して成る櫛歯部材31を備えたシャッター体３を配設し、
前記ダイ２から連続的に押し出される軟化状態の樹脂材料Ｍに対し、前記シャッター体３の櫛歯部材31を移動せしめて、突起31ａ・31ａ…が対応する各細幅部21・21…における押出方向の前方を間欠的に遮断することを特徴とする請求項１記載の有孔プラスチックシートの製造方法。
【請求項３】
シャッター体３の櫛歯部材31を刺入方向に往復動自在な駆動機構32を備えることを特徴とする請求項１または２記載の有孔プラスチックシートの製造方法。
【請求項４】
シャッター体３の櫛歯部材31の突起31ａの先端部を、尖端形状にすることを特徴とする請求項１〜３の何れか一つに記載の有孔プラスチックシートの製造方法。
【請求項５】
シャッター体３の櫛歯部材31の突起31ａ・31ａ…の間隔を、ダイ２の細幅部21・21…の１条おきに設ける一方、
一対の櫛歯部材31Ａ・31Ｂを、前記ダイ２のリップの両側傍に対向的に配設して、これらの櫛歯部材31を移動させて、リップを片方ずつ交互に遮断することにより、シート体１の孔部11ａを千鳥状にして、ネット状に成形することを特徴とする請求項１〜４の何れか一つに記載の有孔プラスチックシートの製造方法。
【請求項６】
ダイ２から連続的に押し出される軟化状態の樹脂材料Ｍを、リップから１０mm以内に水中に入れて冷却固化せしめた後、巻き取ることを特徴とする請求項１〜５の何れか一つに記載の有孔プラスチックシートの製造方法。
【請求項７】
シャッター体３の櫛歯部材31の突起31ａをそれぞれ独立に動作可能にする一方、
各突起31ａを動作せしめることによって、シート体１の所要位置に、孔部11ａ・11ａ…を形成することにより、模様を作出せしめることを特徴とする請求項１〜６の何れか一つに記載の有孔プラスチックシートの製造方法。
【請求項８】
押し出したシート体１を、長手方向および／または幅方向に延伸することを特徴とする請求項１〜７の何れか一つに記載の有孔プラスチックシートの製造方法。
【請求項９】
押出機Ｅによってシート状に連続成形されるプラスチック製のシート体１であって、幅方向の断面形状は、薄膜部11と突条部12とを交互かつ一連に有しており、かつ、当該各薄膜部11において、複数の孔部11ａ・11ａ…を有することを特徴とする有孔プラスチックシート。
【請求項１０】
シート体１の薄膜部11における孔部11ａが、幅方向の１条おきに形成され、かつ、長手方向の先後に交互に形成されて千鳥状をなし、幅方向に伸縮性を有するネット状に構成されていることを特徴とする請求項９記載の有孔プラスチックシート。
【発明の詳細な説明】
【技術分野】
【０００１】
本発明は、シート材料の改良、更に詳しくは、簡素な設備で製造することができ、シート材料としての十分な強度を有しつつも、形状の安定した孔部を簡単かつ確実に成形することができる有孔プラスチックシートおよびその製造方法に関するものである。
【背景技術】
【０００２】
周知のとおり、建築や土木、園芸などの資材として、様々なシート材料が用いられており、特にプラスチック製のものは広く用いられ、更に、通気性や通水性を付与するために有孔のものがある。
【０００３】
従来、かかる有孔のシートを製造する方法としては、押出成形機によって一旦シート状に押し出された材料に対し、パンチングマシーンを用いて開孔せしめるものが開示されている（例えば、特許文献１参照）。
【０００４】
しかしながら、かかる方法で製造しようとする場合、シート材料には十分な剛性が必要であり、柔らかくて薄い材料に孔を開けようとすると、うまく打抜き成形ができなかったり、またはシート材料が伸びてしまうという不満があった。
【０００５】
また、スリット刃などでシート材料にスリットを入れる方法も存在するけれども、十分な大きさの開孔部分が得られず、要求される通気性や通水性を満足させることができなかったり、また、スリットには不可避的に応力が集中し易いため、其処から裂け易いという問題もあった。
【特許文献１】特開平８−７１９９６号公報（第２−３頁、図２）
【発明の開示】
【発明が解決しようとする課題】
【０００６】
本発明は、有孔のシート材料を製造するにあたり、上記のような問題があったことに鑑みて為されたものであり、その目的とするところは、簡素な設備で製造することができ、シート材料としての十分な強度を有しつつも、形状の安定した孔部を簡単かつ確実に成形することができる有孔プラスチックシートおよびその製造方法を提供することにある。
【課題を解決するための手段】
【０００７】
本発明者が上記課題を解決するために採用した手段を添付図面を参照して説明すれば次のとおりである。
【０００８】
即ち、本発明は、押出機Ｅにより連続的に押出成形してシート体１を製造するにあた
り、
前記押出機Ｅのダイ２のリップ形状として、複数の細幅部21・21…と溝部22・22…とを所定間隔で交互かつ一連に形成する一方、
前記ダイ２から軟化状態の樹脂材料Ｍを連続的に押し出すことによって薄膜部11と突条部12とを備えたシート体１を形成するとき、前記細幅部21における押出方向の前方を間欠的に遮断することにより、各薄膜部11に複数の孔部11ａ・11ａ…を成形せしめるという技術的手段を採用することによって、有孔プラスチックシートの製造方法を完成させた。
【０００９】
また、本発明は、上記課題を解決するために、必要に応じて上記手段に加え、押出機Ｅのダイ２のリップの側傍に沿って、当該ダイ２の細幅部21・21…に対応する所要間隔の突起31ａ・31ａ…を並設して成る櫛歯部材31を備えたシャッター体３を配設し、
前記ダイ２から連続的に押し出される軟化状態の樹脂材料Ｍに対し、前記シャッター体３の櫛歯部材31を移動せしめて、突起31ａ・31ａ…が対応する各細幅部21・21…における押出方向の前方を間欠的に遮断するという技術的手段を採用した。
【００１０】
更にまた、本発明は、上記課題を解決するために、必要に応じて上記手段に加え、シャッター体３の櫛歯部材31を刺入方向に往復動自在な駆動機構32を備えるという技術的手段を採用した。
【００１１】
更にまた、本発明は、上記課題を解決するために、必要に応じて上記手段に加え、シャッター体３の櫛歯部材31の突起31ａの先端部を、尖端形状にするという技術的手段を採用した。
【００１２】
更にまた、本発明は、上記課題を解決するために、必要に応じて上記手段に加え、シャッター体３の櫛歯部材31の突起31ａ・31ａ…の間隔を、ダイ２の細幅部21・21…の１条おきに設ける一方、
一対の櫛歯部材31Ａ・31Ｂを、前記ダイ２のリップの両側傍に対向的に配設して、これらの櫛歯部材31を移動させて、リップを片方ずつ交互に遮断することにより、シート体１の孔部11ａを千鳥状にして、ネット状に成形するという技術的手段を採用した。
【００１３】
更にまた、本発明は、上記課題を解決するために、必要に応じて上記手段に加え、ダイ２から連続的に押し出される軟化状態の樹脂材料Ｍを、リップから１０mm以内に水中に入れて冷却固化せしめた後、巻き取るという技術的手段を採用した。
【００１４】
更にまた、本発明は、上記課題を解決するために、必要に応じて上記手段に加え、シャッター体３の櫛歯部材31の突起31ａをそれぞれ独立に動作可能にする一方、
各突起31ａを動作せしめることによって、シート体１の所要位置に、孔部11ａ・11ａ…を形成することにより、模様を作出せしめるという技術的手段を採用した。
【００１５】
更にまた、本発明は、上記課題を解決するために、必要に応じて上記手段に加え、押し出したシート体１を、長手方向および／または幅方向に延伸するという技術的手段を採用した。
【００１６】
また、本発明は、押出機Ｅによってシート状に連続成形されるプラスチック製のシート体１であって、幅方向の断面形状は、薄膜部11と突条部12とを交互かつ一連に有しており、かつ、当該各薄膜部11において、複数の孔部11ａ・11ａ…を有するようにするという技術的手段を採用することによって、有孔プラスチックシートを完成させた。
【００１７】
また、本発明は、上記課題を解決するために、必要に応じて上記手段に加え、シート体１の薄膜部11における孔部11ａを、幅方向の１条おきに形成され、かつ、長手方向の先後に交互に形成されて千鳥状をなし、幅方向に伸縮性を有するネット状に構成するという技術的手段を採用することによって、有孔プラスチックシートを完成させた。
【発明の効果】
【００１８】
本発明によれば、押出機により連続的に押出成形してシート体を製造するにあたり、前記押出機のダイのリップ形状として、複数の細幅部と溝部とを所定間隔で交互かつ一連に形成する一方、前記ダイから軟化状態の樹脂材料を連続的に押し出すことによって薄膜部と突条部とを備えたシート体を形成するとき、前記細幅部における押出方向の前方を間欠的に遮断することによって、各薄膜部に複数の孔部を成形せしめることができる。
【００１９】
したがって、本発明の製造方法によれば、簡素な設備で製造することができ、シート材料としての十分な強度を有しつつも、形状の安定した孔部を簡単かつ確実に成形することができる。
【００２０】
また、必要に応じて、水槽内で冷却することにより、サイジング装置に接触させて冷却させる場合と異なり、タック性の強い樹脂であっても成形が可能であり、また、製品全体を均一に冷却固化させることによって、成形体内部に残留ひずみが残り難く、曲がりや反りなどの問題を起こり難くすることができることから、実用的利用価値は頗る高いものがある。
【発明を実施するための最良の形態】
【００２１】
本発明を実施するための最良の形態を具体的に図示した図面に基づいて更に詳細に説明すると、次のとおりである。
【００２２】
『第１実施形態』
本発明の第１実施形態を図１から図５に基づいて説明する。図中、符号１で指示するものはシート体であり、このシート体１は、常用の樹脂成形押出機Ｅによってシート状に連続成形される部材である。
【００２３】
また、符号２で指示するものはダイであり、このダイ２は、押出機Ｅの押出口に配設されている。更にまた、符号３で指示するものはシャッター体であり、このシャッター体３は、前記ダイ２のリップ部の前方を遮断可能な部材である。
【００２４】
しかして、本発明は、押出機Ｅによってシート状に連続成形されるプラスチック製のシート体１であって、その具体的な構成として、幅方向の断面形状は、薄膜部11と突条部12とを交互かつ一連に有しており、かつ、当該各薄膜部11において、複数の孔部11ａ・11ａ…を有するものである（図１参照）。
【００２５】
以下、押出機Ｅにより連続的に押出成形してシート体１を製造する方法について説明する。まず、前記押出機Ｅのダイ２のリップ形状として、複数の細幅部21・21…と溝部22・22…とを所定間隔で交互かつ一連に形成する（図２および図３参照）。
【００２６】
次いで、このダイ２から軟化状態の樹脂材料Ｍを連続的に押し出すことによって薄膜部11と突条部12とを備えたシート体１を形成する。そして、この際、前記細幅部21における押出方向の前方を間欠的に遮断する（図４参照）。
【００２７】
具体的には、押出機Ｅのダイ２のリップの側傍に沿って、当該ダイ２の細幅部21・21…に対応する所要間隔の突起31ａ・31ａ…（本実施形態では、先端部が尖端形状）を並設して成る櫛歯部材31を備えたシャッター体３を配設することができる。
【００２８】
そして、前記ダイ２から連続的に押し出される軟化状態の樹脂材料Ｍに対し、前記シャッター体３の櫛歯部材31を移動せしめて、突起31ａ・31ａ…が対応する各細幅部21・21…における押出方向の前方を間欠的に遮断する。
【００２９】
こうすることにより、当該遮断部分には樹脂材料Ｍが押し出されないため、各薄膜部11に複数の孔部11ａ・11ａ…を成形せしめることができるのである（図５参照）。この孔部11ａを薄膜部11に成形したことにより、開孔がし易く、また、樹脂がまだ溶融状態であるので、樹脂の溶融張力の作用により孔部が拡張するのであるが、突条部12が堤になることにより、孔部11ａが拡がり過ぎるのを抑え、均一な形状にすることができる。
【００３０】
この際、シャッター体３において、櫛歯部材31を刺入方向に往復動自在な駆動機構32を備えることが好ましく、より迅速かつ正確な動作を行うことができる。
【００３１】
また、本実施形態では、図６に示すように、ダイ２から連続的に押し出される軟化状態の樹脂材料Ｍを、リップから１０mm以内（更に好ましくは５mm以内）に水中に入れて冷却固化せしめた後、巻き取ることができる。この際、水槽に対しての金型の傾斜は、垂直に近いほど理想的である。
【００３２】
また、水槽内の水の表面張力によって接触境界が不安定になって横縞が発生するおそれがある場合には、この水槽内の水に界面活性剤を添加しておくこともできる。このように水槽内で冷却することにより、溶融粘度の低い樹脂であっても成形が可能である。なお、水槽中における水冷式に限らず、空冷式を採用することによって急速に冷却することもできる。
【００３３】
更に、上記のように押し出したシート体１を、長手方向および／または幅方向に延伸することもでき、所要の強度およびサイズに作製することができる。
【００３４】
『第２実施形態』
次に、本発明の第２実施形態を図７から図９に基づいて説明する。本実施形態では、まず、シャッター体３の櫛歯部材31の突起31ａ・31ａ…の間隔を、ダイ２の細幅部21・21…の１条おきに設ける。
【００３５】
そして、一対の櫛歯部材31Ａ・31Ｂを、前記ダイ２のリップの両側傍に対向的に配設して、これらの櫛歯部材31を移動させて、リップを片方ずつ交互に遮断する。このとき、各櫛歯部材31は、一方のみが細幅部21を遮断している場合と、両先端部が同時に細幅部21を遮断している場合とがあり、このオーバーラップ部分を有するために幅方向への伸縮を可能にしている。
【００３６】
このようにしてネット状に成形することができるのは、樹脂が溶融状態であるので、薄膜部11における孔部11ａは溶融張力により拡張しようとする一方、孔部11ａを設けない薄膜部11は収縮しようと変形するために、突条部12が蛇行する程度にまで前記孔部12ａがより顕著に拡張されるからである。こうして、シート体１の孔部11ａを千鳥状にして、ネット状に成形することができる（図８参照）。
【００３７】
『第３実施形態』
次に、本発明の第３実施形態を図１０に基づいて説明する。本実施形態では、シャッター体３の櫛歯部材31の突起31ａをそれぞれ独立に動作可能にする。
【００３８】
そして、各突起31ａを動作せしめることによって、シート体１の所要位置に、孔部11ａ・11ａ…を形成することにより、模様を作出せしめることができる。
【００３９】
本発明は概ね上記のように構成されるが、図示の実施形態に限定されるものでは決してなく、「特許請求の範囲」の記載内において種々の変更が可能であって、例えば、図１１に示すように、シート体１の薄膜部11に成形する孔部11ａの形状は、用途に応じて、長孔にすることができる。
【００４０】
また、図１２および図１３に示すように、押出機Ｅのダイ２のリップ形状として、溝部22・22…を上側または下側の何れか一方、あるいは上下交互に成形することもでき、シート体１における突条部12を片面にのみ成形したものや、両面交互に成形したものにすることもできる。
【００４１】
また、シート体１は、平面状のものに限らず、ダイ２のリップ形状を円形などの筒型にすることにより、筒型シートや筒型ネットを作製することもできる。更にまた、シート体１の使用材料に生分解性樹脂を採用することによって、環境に優しい製品にすることもでき、これら何れのものも、本発明の技術的範囲に属する。
【図面の簡単な説明】
【００４２】
【図１】本発明の実施形態のシート体を表わす正面図である。
【図２】本発明の実施形態の製造装置を表わす正面図である。
【図３】本発明の実施形態の製造装置のダイのリップ部を表わす拡大正面図である。
【図４】本発明の実施形態の製造装置を表わす側面図である。
【図５】本発明の実施形態の製造状態を表わす斜視図である。
【図６】本発明の実施形態の製造装置を表わす側面概略図である。
【図７】本発明の実施形態の製造装置の変形例を表わす正面図である。
【図８】本発明の実施形態の製造装置の変形例を表わす側面図である。
【図９】本発明の実施形態のシート体の変形例を表わす正面図である。
【図１０】本発明の実施形態のシート体の変形例を表わす正面図である。
【図１１】本発明の実施形態のシート体の変形例を表わす正面図である。
【図１２】本発明の実施形態の製造装置のダイのリップ部の変形例を表わす拡大正面図である。
【図１３】本発明の実施形態の製造装置のダイのリップ部の変形例を表わす拡大正面図である。
【符号の説明】
【００４３】
１    シート体
11    薄膜部
11ａ  孔部
12    突条部
２    ダイ
21    細幅部
22    溝部
３    シャッター体
31（31Ａ・31Ｂ）  櫛歯部材
31ａ  突起
32    駆動機構
Ｅ    押出機
Ｍ    樹脂材料
【図１】
2008105200.tif 000003
【図２】
2008105200.tif 000004
【図３】
2008105200.tif 000005
【図４】
2008105200.tif 000006
【図５】
2008105200.tif 000007
【図６】
2008105200.tif 000008
【図７】
2008105200.tif 000009
【図８】
2008105200.tif 000010
【図９】
2008105200.tif 000011
【図１０】
2008105200.tif 000012
【図１１】
2008105200.tif 000013
【図１２】
2008105200.tif 000014
【図１３】
2008105200.tif 000015